(57)【要約】【課題】  地面に対して斜めに備えられた原稿台を具備する記録装置において、その記録装置が振動しても、原稿台上に配置されている原稿が、滑りにくい記録装置およびその制御方法を提供することを目的とするものである。【解決手段】  原稿読取装置を具備し、所定のインタフェースを介して、ホストコンピュータに接続可能な記録装置において、上記ホストコンピュータからの読取動作開始要求を受信する受信手段と、上記読取動作開始要求を受信した後に、上記読取動作開始要求に基づいて、記録動作に必要なメカ機構の少なくとも一部を停止させる停止手段とを有することを特徴とする記録装置である。【選択図】  図１
2007067627.tif 000002
【特許請求の範囲】
【請求項１】
原稿読取装置を具備し、所定のインタフェースを介して、ホストコンピュータに接続可能な記録装置において、
上記ホストコンピュータからの読取動作開始要求を受信する受信手段と；
上記読取動作開始要求を受信した後に、上記読取動作開始要求に基づいて、記録動作に必要なメカ機構の少なくとも一部を停止させる停止手段と；
を有することを特徴とする記録装置。
【請求項２】
請求項１において、
上記原稿読取装置は、ＣＩＳまたはＣＣＤを読取素子として利用するスキャナであることを特徴とする記録装置。
【請求項３】
請求項１において、
上記記録装置の記録方式は、インクジェット方式であることを特徴とする記録装置。
【請求項４】
請求項１において、
上記所定のインタフェースは、ＵＳＢであることを特徴とする記録装置。
【請求項５】
請求項１において、
上記記録動作に必要なメカ機構は、記録動作で必要な記録ヘッド制御に関連するメカ機構であることを特徴とする記録装置。
【請求項６】
スキャナ装置と、記録動作に必要な記録ヘッドと、上記記録ヘッドを防護・固定し、上記記録ヘッドに着脱可能なヘッド防護固定装置とを具備し、所定のインタフェースを介して、ホストコンピュータに接続可能なインクジェットプリンタにおいて、
上記ホストコンピュータから、スキャン動作開始要求を受信したときに、上記記録ヘッドが上記ヘッド防護装置によって防護されていなければ、上記スキャン動作開始要求に基づいて、上記ヘッド防護固定装置を用いて、上記記録ヘッドを固定する固定手段を有することを特徴とする記録装置。
【請求項７】
原稿読取装置を具備し、所定のインタフェースを介して、ホストコンピュータに接続可能な記録装置の制御方法において、
上記ホストコンピュータからの読取動作開始要求を受信する受信工程と；
上記読取動作開始要求を受信した後に、上記読取動作開始要求に基づいて、記録動作に必要なメカ機構の少なくとも一部を停止させる停止工程と；
を有することを特徴とする記録装置の制御方法。
【請求項８】
スキャナ装置と、記録動作に必要な記録ヘッドと、上記記録ヘッドを防護・固定し、上記記録ヘッドに着脱可能なヘッド防護固定装置とを具備し、所定のインタフェースを介して、ホストコンピュータに接続可能なインクジェットプリンタにおいて、
上記ホストコンピュータから、スキャン動作開始要求を受信したときに、上記記録ヘッドが上記ヘッド防護装置によって防護されていなければ、上記スキャン動作開始要求に基づいて、上記ヘッド防護固定装置を用いて、上記記録ヘッドを固定する固定工程を有することを特徴とする記録装置の制御方法。
【発明の詳細な説明】
【技術分野】
【０００１】
本発明は、ホストコンピュータと接続され、ホストコンピュータの要求に従って、画像の読取と、記録動作とを実行することができる画像読取装置が一体となった記録装置に関する。
【背景技術】
【０００２】
最近の記録装置では、ＰＣを介さずに、備え付けられているスキャナで原稿を読み取り、この読み取った原稿の記録を行う等、複数の機能を有する記録装置が存在している。
【０００３】
このような複数の機能を持つ記録装置は、ホストコンピュータからの印刷だけを実行することができるいわゆる単機能記録装置よりも、備える装置が多く、相対的に、装置自体の容積が大きい。
【０００４】
なお、以下では、複数の機能を持つプリンタを、「マルチファンクションプリンタ」、または「ＭＦＰ」という。また、ホストコンピュータからの記録だけを実行することができるいわゆる単機能プリンタを、「シングルファンクションプリンタ」、または、「ＳＦＰ」という。
【０００５】
この装置の容積を小さくするために、スキャナに備えられているガラス面の原稿台を、地面に対して平行ではなく、斜めに配置する装置が知られている（たとえば、特許文献１参照）。
【特許文献１】特開昭６１−２６０７６０号公報
【発明の開示】
【発明が解決しようとする課題】
【０００６】
しかし、地面に対して斜めに備えられた原稿台は、地面に対して平行に備え付けられている原稿台よりも、原稿台上に配置された原稿が、装置の振動によって滑りやすいという問題がある。
【０００７】
つまり、原稿読取装置を具備し、ホストコンピュータと接続されている印刷装置において、ホストコンピュータからの画像読取動作の開始要求に基づいて、原稿読取に関する動作を行う場合、本来読取動作とは関係が無いメカ機構が動作することがある。この読取動作とは関係が無いメカ機構によって、装置自体が振動し、読取対象の原稿がずれ、読取画像に影響がでるという問題がある。なお、本来読取動作とは関係が無いメカ機構は、記録動作に利用するメカ機構である。
【０００８】
本発明は、地面に対して斜めに備えられた原稿台を具備する記録装置において、その記録装置が振動しても、原稿台上に配置されている原稿が、滑りにくい記録装置およびその制御方法を提供することを目的とするものである。
【課題を解決するための手段】
【０００９】
本発明は、原稿読取装置を具備し、所定のインタフェースを介して、ホストコンピュータに接続可能な記録装置において、上記ホストコンピュータからの読取動作開始要求を受信する受信手段と、上記読取動作開始要求を受信した後に、上記読取動作開始要求に基づいて、記録動作に必要なメカ機構の少なくとも一部を停止させる停止手段とを有することを特徴とする記録装置である。
【発明の効果】
【００１０】
本発明では、原稿台が地面に対して斜めに設置されている記録装置において、読取動作開始要求を受信した後に、読取動作開始要求に基づいて、記録動作に必要なメカ機構の少なくとも一部を停止させる停止手段を有する。したがって、本発明によれば、原稿ずれが少なく、スキャン画質の劣化を防止することができるという効果を奏する。
【発明を実施するための最良の形態】
【００１１】
発明を実施するための最良の形態は、次の実施例である。
【実施例１】
【００１２】
図１は、本発明の実施例１であるＭＦＰ１００を示す概観斜視図である。
【００１３】
ＭＦＰ１００は、ホストコンピュータから記録データを受信し、記録するＳＦＰ（シングルファンクションプリンタ）としての機能と、備え付けられているスキャナを利用して原稿を読み取り、この読み取ったデータを記録するコピー機能とを有する。
【００１４】
また、ＭＦＰ１００は、カードリーダ１０３を利用して挿入されているコンパクトフラッシュ（登録商標）等、フラッシュメディアから画像データを受信し、この受信したデータに画像処理を施し、記録を行うカードコピー機能を有する。
【００１５】
さらに、ＭＦＰ１００は、ＭＦＰ１００と接続している上記ホストコンピュータから、原稿を読み取り、ＰＣスキャン機能を有する。
【００１６】
ＭＦＰ１００の外殻をなす本体は、排出トレイ１０１と、スキャナ原稿カバー１０４と、ケース１０６と、記録装置へのアクセスで利用するアクセスカバー１０７とである。
【００１７】
ケース１０６は、記録動作に係る各機構（後に図示する）を収納する中空対構造を有する。排出トレイ１０１は、その一端部が、ケース１０６に回転自由に保持され、この回転によって、ケース１０６の前面部に形成される開口部を開閉する。
【００１８】
このために、記録動作を実行させる場合、排出トレイ１０１を、前面側へ開き、その開口部を開くことによって、ここから記録シートを排出することが可能になり、また、排出された記録シートを順次積載し得る。
【００１９】
アクセスカバー１０７は、その一端部が、ケース１０６に回転自由に保持され、上面に形成される開口部を開閉することができる。このアクセスカバー１０７を開くことによって、本体内部に収納されている記録ヘッドカートリッジまたはインクタンク（後に図示する）等を交換することができる。なお、その裏面に形成されている突起（後に図示する）が、カバー開閉レバーを回転させ、このレバーの回転位置をマイクロスイッチ等で検出することによって、アクセスカバーの開閉状態を検出することができる。
【００２０】
また、操作パネル１０２には、電源キー、各種印刷設定を行うキーが押し下げ可能に設けられている。また、印刷設定等を表示する液晶部も同様に設けられている。
【００２１】
自動給紙部１０５は、記録シートを装置本体内へ自動的に給紙する。カードスロット１０３は、メモリカードを挿入し、メモリカード内に記憶されている画像データを直接取り込んで印刷することができる。このメモリカードとして、たとえばコンパクトフラッシュ（登録商標）メモリ、スマートメディア（登録商標）、メモリスティック等がある。
【００２２】
図２は、ケース１０６内に格納され、インクジェットによる記録動作に係る各機構を示す斜視図である。
【００２３】
キャリッジ２００は、無端ベルト２０１に固定され、しかも、ガイドシャフト２０２に沿って移動可能である。無端ベルト２０１は、プーリ２０３と２０４とに巻回されている。プーリ２０３には、キャリッジ駆動モータ２０５の駆動軸が連結されている。したがって、キャリッジ２００は、モータ２０５の回転駆動によって、ガイドシャフト２０２に沿って主走査方向（Ａ方向）に往復走査される。キャリッジ２００上には、インクジェット方式でインクを吐出可能な複数のノズルが配列されている記録ヘッド１０００と、インクを収納する容器としてのインクタンクＩＴとが搭載されている。
【００２４】
また、この装置には、キャリッジの移動位置を検出する等のために、リニアエンコーダ２０６が設けられている。このリニアエンコーダ２０６は、キャリッジ２００の移動方向に沿って延在し、スリットの検出系２０８と、所要の信号処理回路とを有する。
【００２５】
スリットの検出系２０８は、１インチ（参考値。約２５．４ｍｍ）間に６００個等の等間隔でスリットが形成されているリニアスケール２０７と、キャリッジ２００上に設けられたとえば発光部と受光センサとを有する。
【００２６】
したがって、リニアエンコーダ２０６は、キャリッジ２００の移動に伴って、インク吐出タイミングを規定する吐出タイミング信号とキャリッジの位置情報とを出力する。スリットの検出毎に、インクを吐出するようにすれば、主走査方向に６００ｄｐｉ（ドット／インチ。参考値）の解像度の記録動作を実行することができる。
【００２７】
プリント媒体としての記録紙Ｐは、キャリッジ２００の主走査方向と直交する矢印Ｂ方向（副走査方向）に、間欠的に搬送される。記録紙Ｐは、上流側の一対のローラユニット２０９、２１０と、下流側一対のローラユニット２１１、２１２とによって支持され、一定の張力を付与され、記録ヘッド１０００に対する平面性を確保した状態で搬送される。各ローラユニットに対する駆動力は、図示しない記録紙搬送モータによって付与されている。
【００２８】
このような構成によって、キャリッジ２００の移動に伴う記録ヘッドの吐出口配列幅に対応した幅で、記録紙Ｐの送りとを交互に繰り返しながら、記録紙Ｐ全体に、記録される。
【００２９】
キャリッジ２００は、記録開始時または記録中に必要に応じてホームポジションで停止する。このホームポジションには、記録ヘッドの吐出面側をキャッピングするキャップ部材２１３が設けられている。このキャップ部材２１３には、ヘッド１０００を覆う機構が備えられ、記録ヘッド１０００を覆うことによって、乾燥すること防止し、位置を固定するために利用される。
【００３０】
図３は、ＭＦＰ１００を背面から見た外観斜視図である。
【００３１】
電源コード差込口３０１は、ＭＦＰ１００に内蔵されている図示しない電源と接続され、交流電流を供給するために利用する。差込口３０２は、ホストコンピュータと接続するために必要なＵＳＢの差込口である。
【００３２】
図４は、ＭＦＰ１００のアクセスカバー１０７を上面に開き、内部に収納されている記録ヘッド・インクタンクが中央部に移動している状態を示す外観斜視図である。
【００３３】
図４において、図１〜図３に記載されている部分と共通する部分には、同じ記号を付け、それらの説明を省略する。
【００３４】
アクセスカバー１０７に形成されている突起４０４（後に図示する）が、カバー開閉レバー４０２を回転させ、カバー開閉レバー４０２の回転位置をマイクロスイッチ等で検出することによって、アクセスカバーの開閉状態を検出する。
【００３５】
前面カバー４０３は、その一端部をケース１０６に回転自由に保持され、その回転によってケース１０６の内部に形成されている記録ヘッド・インクタンクへのアクセス開口部を開閉させる。
【００３６】
図５は、ＭＦＰ１００の原稿カバー１０４を上面に開き、原稿台にアクセス可能な状態を示す外観斜視図である。
【００３７】
ガラス製の原稿台５０１には、原稿のＲＧＢデータを読み取る図示しないコンタクトセンサが内部に装着されている。白色基準版５０２は、原稿カバー１０４に備え付けられている。原稿カバー１０４を閉めた状態で、備え付けられているコンタクトセンサの白基準データ（キャリブレーション）を取得する場合に利用される。
【００３８】
次に、ＭＦＰ１００の制御に係る主要部の構成について説明する。
【００３９】
図６は、ＭＦＰ１００の制御に係る主要部の構成を示すブロック図である。
【００４０】
ＡＳＩＣ（専用カスタムＬＳＩ）６０１の構成は、図７のブロック図を参照して詳しく後述する。ＳＤＲＡＭ６０２は、ＡＳＩＣ６０１に内蔵されているマイクロプロセッサの制御プログラム、実行時のプログラム、画像データ等を記憶するメモリとして機能するメモリエリアを有する。
【００４１】
ＲＯＭ６０３には、ＡＳＩＣ６０１に内蔵されているマイクロプロセッサが実行可能な制御プログラムが格納され、制御プログラムの実行時は、ＳＤＲＡＭ内に転送される。
【００４２】
記録ヘッド６０４は、ＡＳＩＣ６０１で生成されたヒートパルスを受けて、インクの吐出を行う。モータ６０５は、給紙口に配置されている記録シートを給紙し、印刷可能な状態にし、その後に、紙送り動作を行うモータであり、ＡＳＩＣ６０１で生成された駆動信号を受け、指定の回転動作を行う。
【００４３】
記録ヘッドを搭載するキャリッジを移動させるモータ６０６は、ＡＳＩＣ６０１で生成された駆動信号を受け、指定の回転動作を行い、記録ヘッドを自由自在に走査方向に駆動させる。
【００４４】
パネル操作部６０７は、ＡＳＩＣ６０１で生成された信号を受信し、印刷状態等を表示する。また、電源キー等のキー入力を信号に変換し、ＡＳＩＣ６０１へ入力する。
【００４５】
ＵＳＢで接続可能なカードリーダ６０８は、挿入されたフラッシュメディアに対するアクセスを行う。ＡＳＩＣ６０１では、後述するＵＳＢホストチップが内蔵され、ＵＳＢ転送方式を用いて、カード内の画像データ等を転送する。
【００４６】
モータ６０９は、スキャナで画像のＲＧＢデータを読取るときに利用されるセンサを移動するために用いるモータである。ＡＳＩＣ６０１で生成された駆動信号を受けて、指定の回転動作を行い、コンタクトセンサを自由自在に移動する。
【００４７】
コンタクトセンサ６１０は、原稿のＲＧＢデータアナログデータを読み取るコンタクトセンサである。コンタクトセンサ６１０は、後述するＡＳＩＣ６０１に内蔵されているアナログフロントエンドを介して、レベルを調整し、最終的にＡＳＩＣに内蔵されている画像処理回路を用いて、ＲＧＢのデジタルデータに変換する。
【００４８】
図７は、ＡＳＩＣ６０１の内部を示すブロック図である。
【００４９】
汎用のＩ／Ｏポート７０１は、外部のパネルに対して、各種表示設定を行い、キー入力情報を取得するために用いられている。画像演算を行うブロック７０２は、ＳＤＲＡＭ内にあるデータを読み込み、色空間変換、ガンマ補正、ＪＰＥＧ展開等の画像処理をマイクロプロセッサ７０９に負荷をかけずに行う。
【００５０】
モータコントロールブロック７０３は、記録動作に必要なモータの駆動信号を生成し、各モータに転送する。デジタルアナログコンバータ７０４は、接続されている記録ヘッドに装着されているダイオードセンサ値をデジタルデータに変換し、デジタル化されたデータに基づいて、記録ヘッドが異常な温度を帯びていないかどうかをチェックする。
【００５１】
ヒートコントロール７０５は、接続されている記録ヘッドにインク吐出のために必要なヒートパルスを生成しているブロックである。
【００５２】
アナログフロントエンド７０６は、コンタクトセンサから入力されたアナログの画像データをＡ／Ｄコンバータに処理させる前に、アナログのレベルを調整するブロックである。ＵＳＢホストブロック７０７は、ＵＳＢで接続可能なカードリーダとの間で、外部で接続されている。ＵＳＢ転送を用いて、カードリーダ内に存在する画像データを受信する。
【００５３】
ＵＳＢクライアントブロック７０８は、ホストコンピュータとの間、ＵＳＢ転送方式によってデータをやり取りするために必要である。マイクロプロセッサ７０９は、ＳＤＲＡＭに記憶されている制御プログラムを実行する。データバス７１０は、ＡＳＩＣ６０１に内蔵される各種ブロック間のデータ転送に利用されている。
【００５４】
次に、開始コマンドをＭＦＰ１００が受信し、記録ヘッドを固定する処理について説明する。
【００５５】
図８は、スキャン開始コマンドをＭＦＰ１００が受信し、記録ヘッドを固定する処理を示すフローチャートである。
【００５６】
まず、Ｓ１で、ＵＳＢ転送を用いて、ホストコンピュータからのコマンドを受信する。Ｓ２で、受信したコマンドを解釈し、スキャン開始コマンドであれば、Ｓ３へ進む。スキャン開始コマンドでなければ、適切な処理を行い、Ｓ１に戻る。
【００５７】
Ｓ３では、図２に示すキャップ部材によって、記録ヘッドがしっかりと固定されているかどうかを判断する。キャップがヘッドを覆っているかどうかは、記録ヘッドの操作方向の位置から理解できるように設計されている。
【００５８】
記録ヘッドがキャップされていなければ、Ｓ４で、記録装置の記録ヘッドのキャリッジモータを駆動し、キャップ可能な位置へ移動させる。この適切な位置では、記録ヘッドは固定され、吐出口の保護も同時に行われる。Ｓ５では、コンタクトセンサを実際に駆動させ、原稿のスキャンを開始する。以上で、スキャン処理を完了する。
【００５９】
上記実施例では、原稿台が地面に対して斜めに設置されている記録装置において、読取動作開始要求を受信した後に、読取動作開始要求に基づいて、記録動作に必要なメカ機構の少なくとも一部を停止させる停止手段を有する。したがって、上記実施例によれば、原稿ずれが少なく、スキャン画質の劣化を防止することができる。
【００６０】
ところで、記録ヘッドにヘッド防護装置が固定されている状態（記録ヘッドが固定されている状態。ヘッド防護装置クローズ状態）から印刷を開始すると、ヘッド防護装置をオープン状態にするのに必要な時間がかかる。
【００６１】
そこで、上記実施例では、印刷後から所定時間の間は、ヘッド防護装置をオープン状態のままにしておく。そして、スキャン開始コマンドを受信した場合に、このスキャン開始コマンドの受信を契機に、上記のように、記録ヘッドにヘッド防護装置が固定されている状態にした後にスキャンを開始する。これによって、印刷後から所定時間の間に、スキャン開始コマンドを受信した場合、スキャン開始コマンドの受信から印刷開始までの時間が短くなるという利点がある。つまり、ヘッド防護装置をクローズしてからオープンにする処理時間を短縮するために、ヘッド防護装置をオープン状態のままにしておく。
【図面の簡単な説明】
【００６２】
【図１】本発明の実施例１であるＭＦＰ１００を示す概観斜視図である。
【図２】ケース１０６内に格納され、インクジェットによる記録動作に係る各機構を示す斜視図である。
【図３】ＭＦＰ１００を背面から見た外観斜視図である。
【図４】ＭＦＰ１００のアクセスカバー１０７を上面に開き、内部に収納されているインクヘッド・タンクが中央部に移動している状態を示す外観斜視図である。
【図５】ＭＦＰ１００の原稿カバー１０４を上面に開き、原稿台にアクセス可能な状態を示す外観斜視図である。
【図６】ＭＦＰ１００の制御に係る主要部の構成を示すブロック図である。
【図７】ＡＳＩＣ６０１の内部を示すブロック図である。
【図８】スキャン開始コマンドをＭＦＰ１００が受信し、記録ヘッドを固定する処理を示すフローチャートである。
【符号の説明】
【００６３】
１００…記録装置の例であるＭＦＰ、
１０６…ケース、
１０４…原稿カバー、
１０７…アクセスカバー、
２００…キャリッジ、
２１３…キャップ部材、
６０１…ＡＳＩＣ、
１０００…記録ヘッド、
ＩＴ…インクタンク。
【図１】
2007067627.tif 000003
【図２】
2007067627.tif 000004
【図３】
2007067627.tif 000005
【図４】
2007067627.tif 000006
【図５】
2007067627.tif 000007
【図６】
2007067627.tif 000008
【図７】
2007067627.tif 000009
【図８】
2007067627.tif 000010